(57)【要約】【課題】簡単な操作性とコスト効率のよい製造とが同時に可能となる差込固定具を提供すること。【解決手段】本発明は、可撓性および／または剛体の線状要素（４３、４４）同士を連結するための、差込部（１１）と受部（１２）とを備えた差込固定具（１）に関し、それによって、能動的固定連結具（１４）が、差込部（１１）の受部（１２）への解除可能な連結を成立させるように張力を伝達するために、設けられる。大きな張力においても差込部（１１）の連結の受部（１２）からの意図しない解除を防止し、同時に、簡単な操作とコスト効率のよい製造とを可能とするために、差込固定具は、能動的固定連結具（１４）から分離された緊締手段（１３、２５）が、能動的固定連結具（１４）の意図しない解除を防止するために設けられ、緊締手段（１３、２５）は、緊締手段（１３、２５）を解除するための作動機構（３３）を備えることを特徴とする。【選択図】図１
2014136161.tif 000002
【特許請求の範囲】
【請求項１】
特には動物用つなぎ紐の差込固定具である、可撓性および／または剛体の線状要素（４３、４４）同士を連結するための、差込部（１１）と受部（１２）とを備えた差込固定具であって、これによって前記差込部（１１）の前記受部（１２）への解除可能な連結を成立させるように、能動的固定連結具（１４）が張力を伝達するために設けられた差込固定具において、
前記能動的固定連結具（１４）から分離された緊締手段（１３、２５）が、前記能動的固定連結具（１４）の意図しない解除を防止するために設けられ、これによって前記緊締手段（１３、２５）は、前記緊締手段（１３、２５）を解除するための作動機構（３３）を備えていることを特徴とする差込固定具。
【請求項２】
互いに対応するようにして設計された２つの剛体の能動的固定要素（２１、２２）が前記能動的固定連結具（１４）に対して設けられ、好ましくは、これによって前記差込部（１１）は、特に剛体の軸要素である第１の能動的固定要素（２１）を備え、また、前記受部（１２）は、前記第１の能動的固定要素（２１）と協働するために、特に剛体の軸要素取付部である第２の能動的固定要素（２２）を備えていることを特徴とする、請求項１に記載の差込固定具。
【請求項３】
前記緊締手段（１３、２５）および／または前記能動的固定連結具（１４）は、前記差込部（１１）を前記受部（１２）内へと、特に前記２つの能動的固定要素（２１、２２）を前記差込固定具（１０）の長手方向配置に対して好ましくは直角である横断する方向、および／または、意図した使用において前記差込固定具（１０）に作用する張力の引っ張る方向に対して横断する方向に、少なくとも部分的に嵌め込むことで成立でき、これによって前記第１の能動的固定要素（２１）は、好ましくは、前記第２の能動的固定要素（２２）へと挿入され得る、および／または、隆起部（４５）を設けるために前記受部（１２）の側壁の開口部を少なくとも部分的に通るように導かれ得ることを特徴とする、請求項１または２に記載の差込固定具。
【請求項４】
前記２つの能動的固定要素（２１、２２）は、引張荷重において自立心出しおよび／または自立緊締する設計であり、具体的には、前記第１の能動的固定要素（２１）は少なくとも１つの切欠部（３１）を備え、且つ、前記第２の能動的固定要素（２２）は、前記切欠部（３１）と対応するように設計された少なくとも１つの突起部（３２）を備え、これによって前記切欠部（３１）は、前記能動的固定連結具（１４）において、前記突起部（３２）の後方に好適に少なくとも部分的に延在していることを特徴とする、請求項２または３に記載の差込固定具。
【請求項５】
前記差込部（１１）および／または前記能動的固定連結具（１４）における前記第１の能動的固定要素（２１）は、凹部（３７）を設けるために前記受部（１２）に対して内側にずらされた領域、および／または、隆起部（４５）を設けるために外側にずらされた領域を備えていることを特徴とする、請求項１から４のいずれか一項に記載の差込固定具。
【請求項６】
前記緊締手段（１３、２５）は、特に単なる能動的固定連結具（１４）のための分離された固定連結具として、弾性的な、および／または、ばねが取り付けられた少なくとも１つの第１の固定要素（１７、２７）を備え、前記少なくとも１つの第１の固定要素（１７、２７）は、前記緊締手段（１３、２５）を成立させるために、前記第１の固定要素（１７、２７）に対応するように設計された、特には剛体である第２の固定要素（１８、２８）と協働し、好ましくは、これによって前記第１の固定要素（１７、２７）は前記差込部（１１）と関連付けられ、且つ、前記第２の固定要素（１８、２８）は前記受部（１２）と関連付けられていることを特徴とする、請求項１から５のいずれか一項に記載の差込固定具。
【請求項７】
締結要素（３４）が、線状要素（４３）の端部を締結するために、特に前記受部（１２）の方を向いた領域において前記差込部（１１）内に設けられ、これによって前記締結要素（３４）は、好ましくは、前記線状要素（４３）の前記端部の前記締結を覆うために、前記第１の能動的固定要素（２１）と関連付けられた締結取付部（５０）に締結可能であることを特徴とする、請求項１から６のいずれか一項に記載の差込固定具。
【請求項８】
前記差込部（１１）および／または前記作動機構（３３）は、前記緊締手段（１３、２５）を解除するために、具体的には押圧面内に少なくとも１つの弾性的に取り付けられた作動要素（１６、２６）を備えており、これによって前記作動要素（１６、２６）は、好ましくは、前記緊締手段（１３、２５）を解除するために、前記第１の固定要素（１７、２７）に連結されていることを特徴とする、請求項１から７のいずれか一項に記載の差込固定具。
【請求項９】
特に固定連結具として前記緊締手段（１３、２５）を成立させるための位置に前記第１の固定要素（１７、２７）を導くために、傾斜部（５１）が前記第１の固定要素（１７、２７）と関連付けられ、および／または、傾斜部（４１）が前記第２の固定要素（１７、２７）と関連付けられていることを特徴とする、請求項６から１０のいずれか一項に記載の差込固定具。
【請求項１０】
紐（４３）を具備した請求項１から９のいずれか一項に記載の差込固定具（１）を備えた動物用つなぎ紐であって、前記紐（４３）を保持するための保持手段の前記紐（４３）の第１の端部と、前記第１の端部から遠ざかる方を向いた前記紐（４３）の第２の端部とが、前記差込部（１１）と関連付けられており、また、好ましくは、轡および／または首輪が、前記差込部（１１）から遠ざかる方を向いた端部で前記受部（１２）と関連付けられていることを特徴とする動物用つなぎ紐。
【発明の詳細な説明】
【技術分野】
【０００１】
本発明は、特には動物用つなぎ紐の差込固定具である、可撓性および／または剛体の線状要素同士を連結するための、差込部と受部とを備えた差込固定具に関し、それによって、能動的固定連結具が、差込部の受部への解除可能な連結を成立させるように張力を伝達するために、設けられる。
【背景技術】
【０００２】
このような差込固定具は、特許文献１から公知である。この技術では、連結が、差込部と関連付けられ、受部の取付部に固定する可撓アームに配置された保持頭部によって成立されている。
【０００３】
この場合の欠点は、可撓アームが、一方で、ばね取り付けを行うために断面積が小さくなっており、他方で、差込固定具に張力がある場合に張力すべてを受け止めなければならないことである。したがって、可撓アームは２つの機能を発揮しなければならない。この場合、固定連結具を解除するために必要な可撓アームの弾性的な設計のため、十分に大きな張力において可撓アームは曲がるかまたは破壊され、そのため差込部が受部から意図せずに切り離されてしまう。
【先行技術文献】
【特許文献】
【０００４】
【特許文献１】独国特許１１２００８００００９９Ｔ５号明細書
【発明の概要】
【発明が解決しようとする課題】
【０００５】
そのため、本発明の基本的な目的は、より大きな張力においても差込部の連結が受部から意図せずに分離されてしまうことが防止されるように、導入部で言及したタイプの差込固定具をさらに発展させることであり、それによって、簡単な操作性とコスト効率のよい製造とが同時に可能となる。
【課題を解決するための手段】
【０００６】
本発明の基本的な目的は、導入部で言及したタイプの差込固定具であって、能動的固定連結具から分離している緊締手段が、能動的固定連結具の意図しない解除を防止するために設けられ、緊締手段は、緊締手段を解除するための作動機構を備える差込固定具によって達成される。
【０００７】
ここでは、分離された緊締手段が能動的固定連結具に加えて設けられていることは、有利である。緊締手段は、好ましくは、差込部と受部との間の連結を成立させる。差込部の受部への連結の意図しない分離の危険性が、この結果として著しく低減される。分離された緊締手段は、好ましくは、特には能動的固定である、差込部の受部への連結の意図しない解除を防止するために、追加的な固定連結具として用いられる。緊締手段は、特に、能動的固定連結具をしっかりと締め付けるために排他的に用いられて、能動的固定連結具を成立させる能動的固定要素の意図しない分離を防止する。ここで、緊締手段は、好ましくは、差込固定具の引張荷重のある間に生じるあらゆる力を受けることはない。差込固定具の引張荷重のある間の力のすべてまたは力の大部分は、好ましくは、能動的固定連結具によって受けられるか、および／または、伝えられる。緊締手段は、具体的には、能動的固定連結具から離間される。したがって、例えば、緊締手段が能動的固定連結具と一体とされることはない。緊締手段を能動的固定連結具から空間的および／または機能的に分離しているため、操作性を向上させることができる。差込部の受部へのより信頼できる連結は、空間的な分離のおかげで達成されるのが好ましい。具体的には、差込部の受部への連結は、一方では緊締手段によって形成されており、他方では能動的固定連結具によって形成されている連結を切り離すために、差込固定具の好ましくは空間的および／または機能的に分離した同時の作動によってのみ、解除することが可能とされている。緊締手段は、特に、能動的固定連結具に対して分離している、独立した作動機構を備える。好ましくは、緊締手段は、先ず、差込部を受部から分離するために、作動機構によって解除されなければならない。最終的に、能動的固定連結具も、緊締手段が解除されているため、解除することができる。差込部の受部への連結は、好ましくは、緊締手段および能動的固定連結具の同時の成立ならびに／または分離によって、排他的に成立させるおよび／または解除することができる。
【０００８】
さらに、差込部の受部への能動的固定連結具が、差込固定具に作用する張力を受けるために、および／または、伝えるために設けられることは有利である。能動的固定連結具の構成部品は、好ましくは、剛体として設計される。その結果、能動的固定連結具は、より強く設計することができ、そのため、例えば弾性の固定要素を備えた固定連結具より大きな張力を受けることができる。差込部および／または受部は、線状要素の代わりに、任意の追加部品に選択的に接続可能である。
【０００９】
他の実施形態によれば、互いに対応する剛体の設計とされた２つの能動的固定要素が、具体的には、能動的固定連結具に対して設けられる。能動的固定要素が剛体の設計であるため、差込固定具は、特には１，０００Ｎを超え、好ましくは少なくとも１，５００Ｎであり、特に好ましくは少なくとも２，５００Ｎである大きな張力を受ける、および／または、伝えることができる。ここでは、大きな張力による能動的固定連結具の意図しない解除の危険性はない。差込部は、好ましくは、具体的には剛体の軸要素である第１の能動的固定要素を備え、また、受部は、第１の能動的固定要素と協働するために、特には剛体の軸要素取付部である第２の能動的固定要素を備える。第１の能動的固定要素の第２の能動的固定要素への連結のため、剛体であるが解除可能な連結部が形成される。
【００１０】
２つの能動的固定要素は、差込固定具の長手方向配置に対して特には直角である横断する方向、および／または、意図した使用の間に差込固定具に作用する張力の引っ張る方向に対して特には直角である横断する方向で、互いに連結できる。２つの能動的固定要素は、好ましくは、能動的固定連結具を成立させるために互いに挿入させることができる。具体的には、２つの能動的固定要素は、互いに連結される線状要素の長手方向配置に対して、好ましくは直角である横断する方向で、互いに連結できる。その結果、能動的固定連結具は、意図した使用の間に差込固定具の張力がある場合には、意図せずに解除させることができないことを確保できる。好ましくは、取付方向は、差込固定具の引張荷重のある間に、張力の少なくとも１つの成分に対して、２つの能動的固定要素を、特には直角である横断する方向に接続および／または分離するように揃えられる。第１の能動的固定要素は、第２の能動的固定要素に挿入することができ、および／または、受部の側壁の開口部へと少なくとも一部を通すことができる。第１の能動的固定要素が開口部を少なくとも一部通ることで、側壁の上方に突出する隆起部が特に生成される。この結果、信頼できる能動的固定連結具および／または連動した固定の成立が容易となる。
【００１１】
変形態様によれば、２つの能動的固定要素は、引張荷重において自立心出しおよび／または自立緊締する設計である。具体的には、この自立心出しおよび／または自立緊締する設計を生み出すために、第１の能動的固定要素は少なくとも１つの切欠部を備え、また、第２の能動的固定要素は、切欠部と対応するように設計された少なくとも１つの突起部を備える。切欠部と突起部とは、好ましくは、差込固定具の引張荷重において互いと協働する、および／または、互いと係合するように設けられる。能動的固定連結具では、切欠部は、突起部の後方に少なくとも一部延在する。特に差込固定具の引張荷重において、第２の能動的固定要素の後方に延在する第１の能動的固定要素の切欠部のおかげで、能動的固定連結具の意図しない解除の危険性がさらに低減される。
【００１２】
別の実施形態によれば、差込部および／または能動的固定連結具における第１の能動的固定要素は、凹部を設けるために受部に対して内側にずらされた領域、および／または、隆起部を設けるために外側にずらされた領域を有する。凹部および／または隆起部のおかげで、差込固定具の操作性および／または扱いやすさは、特に差込部と受部との連結を成立させるおよび／または分離するときに、改善される。特に凹部から遠ざかる方を向くように配置された隆起部との組み合わせで、直感的な操作が使用者に想起される。差込部の受部への連結を成立させるとき、使用者は、隆起部および／または凹部を形成するおかげで、正しく連結が成立したことについてのフィードバックを得られる。連結を分離するとき、隆起部および／または凹部は、差込部を横方向に押して受部から外すように使用者を導ける。
【００１３】
好ましくは、緊締手段は、特には単なる能動的固定連結具のための分離された固定連結具として、弾性的な、および／または、ばねが取り付けられた少なくとも１つの第１の固定要素を備え、その少なくとも１つの第１の固定要素は、緊締手段を成立させるために、第１の固定要素に対応するように設計された、特には剛体である第２の固定要素と協働する。このような固定要素の製造および設置は、コスト効率よく行うことができ、特には能動的固定連結具の意図しない分離を防止するために、能動的固定連結具に加えて連結を可能にする。第１の固定要素は好ましくは差込部と関連付けられ、また、第２の固定要素は好ましくは受部と関連付けられる。
【００１４】
変形態様によれば、緊締手段および／または能動的固定連結具は、差込部の受部内への互いへと、差込固定具の長手方向配置に対して横断する方向、および／または、意図した使用の間に差込固定具に作用する張力の引っ張る方向に対して横断する方向に、少なくとも一部が嵌まり入るまたはぴったりと入ることで成立できる。差込部の受部への挿入動作は、特には、差込固定具の長手方向配置に対して、および／または、意図した使用の間に差込固定具に作用する張力の引っ張る方向に対して、直角に向けられた成分を持っている。したがって、差込部と受部との連結の成立および／または分離に対して、差込固定具の長手方向配置の方向、または、差込固定具の引張荷重のある間に引っ張る方向には、原則的に動きが全くない。その結果、差込部の受部への確実な締結を差込固定具の引張荷重のある間に確保する能動的固定連結具を成立させることができる。
【００１５】
別の実施形態によれば、線状要素の端部を締結するための締結要素が、特には受部の方を向いた領域において差込部内に設けられる。締結要素は、周囲に線状要素が導かれる剛体のピン、剛体の軸、または剛体の軸部分として設計されてもよい。好ましくは、締結要素は、第１の能動的固定要素と関連付けられた締結取付部において、締結され、特には固定されてもよい。締結要素は締結取付部から取り外し可能であってもよい。代替態様として、締結要素は第１の能動的固定要素の一部および／または延長部であってもよい。好ましくは、締結要素は、線状要素の端部、特には端部の縫い付け領域が、差込部内に配置されるように、および／または、差込部によって覆われるように、差込部内に配置される。
【００１６】
差込部および／または作動機構は、好ましくは、特には押圧面に、少なくとも１つの弾性的に取り付けられた作動要素を備える。作動要素は、緊締手段を解除するために用いられてもよい。具体的には、第１の固定要素は、作動要素によって、第１の固定要素が第２の固定要素と協働する作動位置の外へと動かすことができる。作動要素は、好ましくは、緊締手段を解除するための第１の固定要素、および／または、第１の固定要素の第２の固定要素への固定連結具に連結される。したがって、第１の固定要素は、特には一体とされた作動要素との連結のため、弾性的に取り付けられる。作動要素の作動によって差込部の連結を受部から分離するために必要とされる力は、好ましくは、最大で５０Ｎであり、特には最大で３０Ｎである。
【００１７】
変形態様によれば、差込部は、受部と連結している場合に、受部の接触薄板と接触している接触面を有している。接触面および／または接触薄板は、好ましくは、第１の能動的固定要素の一部の通過および／または隆起部のための開口部を備えた側部と関連付けられる。差込部を受部に挿入する方向は、好ましくは、接触薄板に基づいてあらかじめ定められる。
【００１８】
別の実施形態によれば、特には固定連結具として緊締手段を成立させるための位置に第１の固定要素を導くために、傾斜部が、第１の固定要素および／または第２の固定要素と関連付けられる。差込部の受部への連結を成立させることは、この結果簡単になる。具体的には、作動機構および／または作動要素の作動は、差込部を受部から分離するためだけに必要とされる。差込部が受部に挿入されるとき、第１の固定要素は、好ましくは、使用者に知覚可能で聞き取り可能な固定位置へと飛び入る。その結果、使用者は、所望の連結および／または緊締手段が成立されたかどうかの明確なフィードバックを得られる。
【００１９】
特に有利なのは、紐を具備する、本発明による差込固定具を備えた動物用つなぎ紐であって、紐の第１の端部が、紐を保持するための保持手段と関連付けられ、第１の端部から遠ざかる方を向いた紐の第２の端部が、差込部と関連付けられる動物用つなぎ紐である。このような動物用つなぎ紐は、犬または猫を制するおよび／または導くために設計されてもよい。保持手段は、簡単な保持紐として、または、特には紐を巻き取ったり巻き出したりするための、把持手段として設計されてもよい。ここで、紐は、好ましくは可撓性である第１の線状要素として設けられる。紐および／または可撓性線状要素は、ベルト、帯、鎖、および／またはケーブルとして設計されてもよい。第２の線状要素または追加部品は、好ましくは、差込部から遠ざかる方を向いた端部で受部と関連付けられる。第２の線状要素は、動物用の轡および／または首輪として設計されてもよい。
【００２０】
独立して想起可能な本発明の別の実施形態によれば、動物用つなぎ紐または紐には轡が設けられており、轡は、迅速に操作できる結合体によって、動物用つなぎ紐または紐に連結できる。ここで、轡が、紐に連結でき、紐から切り離すことができ、および／または、簡単で迅速な方法で交換できることは有利である。具体的には、轡の第１の端部は、迅速に操作できる結合体によって紐に連結でき、また、第１の端部から遠ざかる方を向いた轡の第２の端部は、紐および／または轡を動物用の首輪に連結するために設けられる。好ましくは、第２の端部は、迅速に操作できる第２の結合体を備える。迅速に操作できる結合体は、好ましくは、轡を、本発明による差込固定具による動物用つなぎ紐または紐に連結するように設計される。
【００２１】
本発明による差込固定具のおかげで、差込部の受部への信頼できて確実な連結が、特には犬を制するおよび／または導くときの、大きな張力においても、確保できる。同時に、簡単な操作性が実現され、その結果として、轡または他の追加の部品の交換が、特により容易とされている。また、第１の線状要素の端部が差込部内に配置される。その結果として、例えば、第１の線状要素を締結するために環状部を成立させるための端部の位置変化および縫い付けの間に形成される縫い目を、簡単な方法で覆うことができる。したがって、縫い目を追加で覆うことは必要ない。さらに、特に締結要素が差込部および／または差込固定具内に配置されるため、小さなタイプの構造を作り出すことができる。具体的には、圧力の力は、原則的に、締結要素を介して能動的固定要素に作用する。これは、例えば、プラスチックで作られた差込固定具の耐久性に関して、特に有利である。
【００２２】
差込部および／または受部は、好ましくは、特には射出成形プラスチック部品として、一体で製造することができる。特には射出成形プラスチック部品として、プラスチックから製造することは、コスト効率のよい製造を可能とする。差込固定具の重量は、１５ｇ未満、特には最大で１０ｇ、特に好ましくは最大で６ｇであり得る。好ましくは、差込固定具の最大幅は、２６ｍｍから２８ｍｍの範囲にあり、特に、受部と関連付けられた第２の線状要素の場合には２０ｍｍの幅である。別の実施形態によれば、差込固定具の最大幅は、１８ｍｍから２０ｍｍの範囲にあり、特に、受部と関連付けられた第２の線状要素の場合には１４ｍｍの幅である。
【００２３】
本発明は、図面に基づいて以下で詳細に説明される。
【図面の簡単な説明】
【００２４】
【図１】本発明による差込固定具の正面図である。
【図２】本発明による差込固定具の斜視図である。
【図３】本発明による差込固定具の側面図である。
【図４】図３における本発明による差込固定具の側方からの断面図である。
【図５】本発明による差込固定具のための差込部の平面図である。
【図６】本発明による差込固定具のための差込部の正面図である。
【図７】差込部の側面図である。
【図８】本発明による差込固定具のための受部の正面図である。
【図９】連結を成立させる前の、本発明による差込固定具の第１の斜視図である。
【図１０】連結を成立させる前の、本発明による差込固定具の別の斜視図である。
【図１１ａ】本発明による差込固定具の正面からの断面図である。
【図１１ｂ】本発明による差込固定具の正面からの断面図である。
【発明を実施するための形態】
【００２５】
図１は、本発明による差込固定具１０の正面図である。差込固定具１０は、差込部１１と受部１２とを備えている。後で詳細に説明するように、差込部１１および受部１２は、能動的固定連結具１４によって互いに解除可能に連結されており、分離された緊締手段１３によって能動的固定連結具１４に解除可能に連結されている。この例示の実施形態では、緊締手段１３は分離された固定連結具１３として設計されており、その固定連結具１３は、能動的固定連結具１４から離間または分離されている。この例示の実施形態では、固定連結具１３と能動的固定連結具１４とは、差込固定具１０の長手方向において互いから離間されて配置されている。
【００２６】
差込部１１は、第１の線状要素４３を連結するために設けられている。この例示の実施形態では、第１の線状要素４３は可撓性であり、具体的には紐として設計されており、特には動物を制するためのケーブルまたはベルトである。受部１２は、開口部または小穴１５を、差込部１１から遠ざかる方を向いた端部に有している。小穴１５は、第２の線状要素４４または他の追加の部品を締結するために設けられている。ここで、第２の線状要素４４は、同様に可撓性であり、動物用の轡および／または首輪として設計されている。
【００２７】
差込固定具１０をそれに配置された第１の線状要素４３および第２の線状要素４４と共に使用する間、張力が、差込固定具１０に、差込固定具１０の長手方向配置の方向において、または、差込部１１から受部１２の方向において、および／もしくは、受部１２から差込部１１の方向において、少なくとも部分的に作用する。
【００２８】
固定連結具１３は作動機構３３を備えている。先ず、固定連結具１３ひいては能動的固定連結具１４は、作動機構３３の手動の作動により、分離させることができる。作動機構３３は、この例示の実施形態では、作動要素１６を備えている。作動要素１６は、差込部１１と関連付けられており、この例示の実施形態では、弾性的に取り付けられた押しボタンとして設計されている。作動要素１６は、固定連結具１３を解除するために、少なくとも部分的に差込部１１へと押し込むことができる。第１の固定要素１７は、作動要素１６と共に差込部１１内へと押し込むことができ、作動要素１６と関連付けられている。第１の固定要素１７は、受部１２の方を向いている。さらに、第１の固定要素１７は、受部１２と関連付けられているとともにこの例示の実施形態では剛体として設計されている第２の固定要素１８と協働する。固定連結具１３では、差込部１１の方向に突出するような設計となっている第２の固定要素１８は、第１の固定要素１７、作動要素１６の縁、および薄板１９の内側によって形成された窪み２０と係合する。薄板１９は、ここでは差込部１１と関連付けられており、薄板１９の内側は、第１の固定要素１７の端部の方を向いている。固定連結具１３のおかげで、特には能動的固定連結具１４の連結である、差込部１１と受部１２との間での連結の意図しない解除が防止されている。
【００２９】
差込部１１は、第１の能動的固定要素２１を有している。ここで示した例示の実施形態では、第１の能動的固定要素２１は剛体の軸要素２１として設計されている。第１の能動的固定要素２１は、この図では詳細には認識不可能な第２の能動的固定要素２２と協働する。この例示の実施形態の第２の能動的固定要素２２は、軸要素の断面に対応するように設計された軸要素取付部２２として設計されている。この場合、軸要素取付部２２は、導管のような設計となっており、受部１２の第１の側壁から、その第１の側壁から遠ざかる方を向いた受部１２の第２の側壁へと延びている。ここで、側壁は、軸要素取付部２２および軸要素２１に対応するように設計された開口部を有している。差込部１１の受部１２への連結が成立した状態で、第１の能動的固定要素２１は、隆起部４５を形成するために、第２の能動的固定要素２２の開口部を通って外向きの方向で、受部１２の接触薄板２３と関連付けられている側壁を越えてある程度まで、この例示の実施形態では約１ｍｍまで立ち上がる。
【００３０】
受部１２の接触薄板２３は、小穴１５から遠ざかるように、および／または、差込部１１の方向に延びている。接触薄板２３は、隆起部４５と共に受部１２の側部と関連付けられている。ここで、第２の能動的固定要素２２は、接触薄板２３と小穴１５との間のおおよそ中間に配置されており、また、差込固定具１０の長手方向配置に対して、ここでは直角とされて、横断するように配置されている。差込部１１の受部１２との連結において、差込部１１の方を向いた接触薄板２３の内側面は、外方へと向けられた差込部１１の接触面２４と接触している。
【００３１】
図２は、本発明による差込固定具１０の斜視図である。ここで、接触薄板２３から遠ざかる方を向いた差込固定具１０の側部が示されている。第１の能動的固定要素２１は、能動的に固定するものであり、接触薄板２３から遠ざかる方を向いた側部から、接触薄板２３を備えた受部１２の側部の方向に、第２の能動的固定要素２２内へと押し込まれる。
【００３２】
接触薄板２３から遠ざかる方を向いた側部において、差込固定具１０は凹部３７を有している。凹部３７は、受部１２または第２の能動的固定要素２２の内部に移動された第１の能動的固定要素２１の端部のため、差込部１１の受部１２への連結の成立によって形成される。ここでは軸要素２１として設計されている第１の能動的固定要素２１の第１の端部は、隆起部４５として設計されており、ここでは、成立した連結においても認識不可能である。第１の端部から遠ざかる方を向いた軸要素２１の第２の端部は、凹部３７を形成している。凹部３７の領域では、受部１２は外向きの方向で凹部３７を越えて立ち上がる。その結果、凹部３７の外側または第１の能動的固定要素２１の第２の端部は、差込固定具１０の受部１２に対して内側にずらされている。
【００３３】
図３は、本発明による差込固定具１０の側面図である。ここでは、接触薄板２３を備えた側部または側壁が示されている。この図は、差込部１１が受部１２から遠ざかる方を向いた側に開口部を有していることを示している。開口部は、第１の線状要素４３を差込部１１へと挿入するために設けられている。
【００３４】
差込固定具１０は、図１により詳細に示されている第１の前部４６を有している。ここで、図３による視点は、差込固定具１０が、第１の前部４６から遠ざかる方を向いた第２の前部４７を有していることを示している。差込固定具１０の第１の前部４６および第２の前部４７は、この例示の実施形態では、鏡像対称として設計されている。この点で、前述のことが参照される。鏡像対称の設計のため、第２の前部４７は、別の解除可能な緊締手段２５を備えており、その緊締手段２５は、この例示の実施形態では、固定連結具２５として設計されており、構造および機能において固定連結具１３と一致している。
【００３５】
したがって、この例示の実施形態では、作動機構３３は追加の作動要素２６を備えており、その作動要素２６は、差込部１１と関連付けられており、この例示の実施形態では、弾性的に取り付けられた押しボタンとして設計されている。作動要素２６は、固定連結具２５を解除するために、少なくとも部分的に差込部１１へと押し込むことができる。
【００３６】
作動要素１６、２６は、この例示の実施形態では、差込部１１および／または受部１２の外側面を越えて少なくとも部分的に盛り上がる。
【００３７】
能動的固定部品２１、２２は張力において、具体的には、少なくとも部分的に差込固定具１０の長手方向配置の方向の、または、差込部１１から受部１２の方向の、および／もしくは、受部１２から差込部１１の方向の、第１の線状要素４３および第２の線状要素４４への張力によって、自立心出しおよび／または自立緊締する設計である。このため、第１の能動的固定部品２１の断面は、この例示の実施形態では原則的にＵ字形の外輪郭を有している。第１の能動的固定要素２１は、開口部３０の方を向いた側に２つの切欠部３１を有している。第２の能動的固定要素２２の対応するように設計された２つの突起部３２が、能動的固定連結具１４の切欠部３１と係合する。第２の能動的固定要素２２の輪郭は、第１の能動的固定要素２１の外輪郭に一致している。
【００３８】
差込固定具１０の長手方向配置の方向において、または、差込部１１から受部１２の方向において、および／もしくは、受部１２から差込部１１の方向において少なくとも１つの成分を有する張力があることで、第２の能動的固定要素２２に対して切欠部３１が突起部３２と協働するため、第１の能動的固定要素は自動的に心出しされる。さらに、引張荷重があることで、突起部３２は切欠部３１の上を少なくとも部分的に滑り、または、切欠部３１は突起部３２の背後に少なくとも部分的に延在し、その結果として、能動的固定連結具１４はさらに緊締される。
【００３９】
図４は、図３における本発明による差込固定具の側方からの断面図である。第１の固定要素２７は、作動要素２６と共に差込部１１内へと押し込むことができ、作動要素２６と関連付けられている。第１の固定要素２７は、受部１２の方を向いている。さらに、第１の固定要素２７は、受部１２と関連付けられているとともにこの例示の実施形態では剛体として設計されている第２の固定要素２８と協働する。固定連結具１３では、突出するような設計となっている第２の固定要素２８は、第１の固定要素２７、作動要素２６の縁、および薄板１９によって形成された窪み２０と係合する。ここで、薄板１９は、ここでは差込部１１と関連付けられており、第１の固定要素２７の端部の方を少なくとも部分的に向いている。固定連結具２５のおかげで、差込部１１と受部１２との間の連結の意図しない解除が防止されている。したがって、第１の固定要素２７および第２の固定要素２８の構造および機能は固定連結具２５に対応しており、また、第１の固定要素１７および第２の固定要素１８の構造および機能は固定連結具１３に対応している。
【００４０】
さらに、図４は、第１の能動的固定要素２１は、線状要素４３の端部３５を締結するための締結要素３４を備えている。この例示の実施形態では、締結要素３４は、第１の能動的固定要素２１に能動的に固定する方法で連結されるとともに、差込固定具１０の長手方向配置に対して、ここでは原則的に直角とされて、横断するように延びる剛体のピン３４として設計されている。第１の線状要素４３の端部３５は、第１の線状要素４３を差込部１１に締結するために、ピン３４の周りに案内されている。この例示の実施形態では、線状要素４３は、締結要素３４の周りに回転する環状部３６を形成している。ピン３４は、第１の能動的固定要素２１内に取り付けられて締結されている。この場合、ピン３４は、それの長手方向軸線が差込固定具１０の長手方向配置に対して、この例示の実施形態では直角に、横断するようにして並べられており、第１の能動的固定要素２１の長手方向配置に平行である。したがって、第１の線状要素４３の締結は、差込固定具１０内へと、この例示の実施形態ではおおよそ差込固定具１０の中間へと位置変化させられる。その結果、張力、原則的には圧力の力があると、それは第２の能動的固定要素２２に伝達され、最終的には第２の線状要素４４へと伝達され、第１の能動的固定要素２１から第１の線状要素４３へと作用する。また、第１の線状要素４３またはピン３４の締結の差込固定具１０の中心領域への位置変化は、より小さなタイプの構造を可能とし、ならびに／または、ピン３４の周りの第１の線状要素４３の位置変化の間、および、第１の線状要素４３の第１の端部の位置変化した端部の縫い付けの間に形成されて環状部３６を作り出す縫い目の覆いの簡単な製作を可能とする。
【００４１】
図５は、本発明による差込固定具１０のための差込部１１の平面図である。隆起部４５を備えた第１の能動的固定要素２１の第１の端部４８から遠ざかる方を向いた差込部１１の側部において、第１の能動的固定要素２１は凹部３７を有している。したがって、第１の能動的固定要素２１の第１の端部４８は、差込部１１の一方の側部を越えて突出するが、第１の端部４８から遠ざかる方を向いた第１の能動的固定要素２１の第２の端部４９は、凹部３７を形成するために差込部１１の側部内へとずらされている。
【００４２】
開口部３０は、中間の領域において拡張部２９を有している。拡張部２９のおかげで、開口部３０は、互いから遠ざかる方を向いた２つの端部の領域よりも中間の領域においてより大きな深さを有する。その結果、ベルト状の線状要素４３またはケーブル状の線状要素４３は、開口部３０に選択的に導き通すことができる。ベルト状の線状要素４３の場合、ベルトの幅は、開口部３０の最大幅におおよそ対応する。ケーブル状の線状要素４３の場合、ケーブルの直径は、拡張部２９の領域での開口部３０の深さおよび／または幅におおよそ対応する。
【００４３】
図６は、本発明による差込固定具１０のための差込部１１の正面図である。視線の方向は、図１において見ている視線と一致している。作動要素１６は、ここでは詳細に示されていない作動要素２６のように、第１の固定要素１７、２７から遠ざかる方を向いた側部に弾性的な回転連結部３８を備えている。弾性回転連結部３８によって作動要素１６、２６は差込部１１に連結されるため、弾性回転連結部３８に連結される作動要素１６、２６および第１の固定要素１７、２７は、差込部１１内に押し込むことができる。作動要素１６、２６が解除されるや否や、作動要素１６、２６および第１の固定要素１７、２７は、それぞれの開始位置へと自動的に戻る。
【００４４】
回転連結部３８から遠ざかる方を向いているとともに第１の能動的固定要素２１の方を向いた側で、第１の固定要素１７、２７は作動要素１６、２６に連結される。第１の固定要素１７、２７は、薄板状の設計であり、この例示の実施形態では、第１の能動的固定要素２１の長手方向配置と平行に、または、差込固定具１０の長手方向配置に対して、ここでは直角とされて、横断するように延びている。薄板４０から遠ざかる方を向いた第１の固定要素１７、２７の端部は、この端部の方を向きつつこの端部から離間された薄板１９と共に窪み２０を形成している。
【００４５】
さらに、この例示の実施形態における接触面２４は、窪みとして設計されていることが分かる。また、第１の能動的固定要素２１の第２の端部４９または凹部３７の外側は、作動要素１６、２６に隣接する縁３９と凹部３７とに対して内向きに戻される。縁３９は、薄板１９の外側を広範囲にわたって取り囲んでいる。
【００４６】
追加の薄板４０が、縁３９から遠ざかる方を向いているとともに第１の能動的固定要素２１の方を向いた側に設けられている。追加の薄板４０は、薄板１９と広範囲で鏡像対称となる構造を有している。作動要素１６、２６は、第１の能動的固定要素２１から遠ざかる方を向いた薄板１９、４０の端部に締結されている。薄板４０は、その外側に接触面２４を提供する。薄板４０の外側は大部分が露出されている。したがって、薄板１９と比較すると、ただ縁３９が薄板４０には設けられていない。
【００４７】
さらに、第１の能動的固定要素２１は、作動要素１６から遠ざかる方を向いているとともにここでは図示されていない受部１２と連結して受部１２の方を向いた領域に、締結取付部５０を備えていることが分かる。締結取付部５０は、ここでは詳細に示されていない締結要素４３を受け入れて締結するために提供されている。
【００４８】
図７は、図６における差込部１１の側面図である。視線の方向は、図３において見ている視線と一致している。外側に向けられた接触面２４を有する露出された追加の薄板４０は、容易に認識される。第１の固定要素１７、２７の内側には、それぞれ傾斜部５１が設けられており、その傾斜部５１は、外側かつ側方に向かって傾斜する斜面を有している。
【００４９】
図８は、本発明による差込固定具１０のための受部１２の正面図である。視線の方向は、図１において見ている視線と一致している。第１の前部４６は第２の前部４７の鏡面対称として設計されているため、ここで示された第１の前部４６の説明は、第２の前部４７にも同様に適用される。
【００５０】
この例示の実施形態では、傾斜部４１が、第２の固定要素１８、２８から第２の能動的固定要素２２のある側方から遠ざかる方を向いた方向にそれぞれ延びている。傾斜部４１によって、受部１２の長手方向配置に対して横断するように、接触薄板２３のある側方の方向に差込部１１を横方向に向けて挿入することが容易とされる。このため、傾斜部４１は差込部１１の傾斜部５１と協働し、それによって、傾斜部４１、５１により、第１の固定要素１７、２７は、受部１２の長手方向配置に対して横断するように向けられた差込部１１の挿入動作で、差込部１１から外へと移動させられる。その結果、第１の固定要素１７、２７の第２の固定要素１８、２８に対する滑動が容易とされている。第１の固定要素１７、２７が第２の固定要素１８、２８に対して完全に滑動されるや否や、第１の固定要素１７、２７は元の開始位置内へと再び戻る。ここで、第１の固定要素１７、２７は、それぞれ第１の固定要素１７、２７に対応するように設計された追加の窪み４２と係合する。追加の窪み４２の幅は、接触薄板２３の方を向いた第２の固定要素１８、２８の側部と、第２の固定要素１８、２８の方を向いた接触薄板２３の側部とによって定められる。
【００５１】
図９は、連結を成立させる前の、本発明による差込固定具の第１の斜視図である。第１の線状要素４３を差込部１１に連結するために、締結要素３４が、環状部３６に縫い付けられた第１の線状要素４３の端部３５に挿入される。そして、締結要素３４と共に端部３５は、差込部１１の締結取付部５０に埋め込まれる。この場合、締結要素３４は、クリップ連結によって締結取付部５０に固定することができる。その結果、締結要素３４および第１の線状要素４３の差込部１１への確実な連結を成立させることができる。
【００５２】
さらに、接触薄板２３は、原則的にＵ字形の断面を有しており、その結果、接触薄板２３は、差込部１１との連結で薄板４０を部分的に取り囲む。
【００５３】
図１０は、連結を成立させる前の、本発明による差込固定具１０の別の斜視図である。図９とは対照的に、締結要素３４は、ここでは締結取付部５０に挿入されて締結されている。
【００５４】
差込部１１の受部１２への連結を成立させるために、差込部１１は受部１２の隣の側方に配置されており、それによって、差込部１１の第１の能動的固定要素２１は、受部１２の第２の能動的固定要素２２の高さに位置されている。
【００５５】
第２の能動的固定要素２２は隙間５２を有している。隙間５２は、薄板１９、４０の少なくとも一部を受け入れて案内するために用いられる。連結を成立させるために、第１の能動的固定要素２１の第１の端部４８は、接触薄板２３から遠ざかる方を向いた第２の能動的固定要素２２の開口部に接触薄板２３の方向で挿入される。
【００５６】
図１１ａは、本発明による差込固定具１０の正面からの第１の断面図である。差込部１１の受部１２への連結は、この図によれば完全に成立している。この場合、隆起部４５は、接触薄板２３を備えた受部１２の側部から突出している。この例示の実施形態では、隆起部は、受部１２の側面を越えて約１ｍｍ突出している。第１の端部４８から遠ざかる方を向いた第１の能動的固定要素２１の第２の端部４９は、受部１２の側面の反対の凹部３７を形成するために内向きにずらされている。この例示の実施形態では、凹部３７は約１ｍｍの深さである。
【００５７】
図１１ｂは、本発明による差込固定具１０の正面からの別の断面図である。この図によれば、差込部１１の受部１２への連結は不完全である。第１の能動的固定要素２１の第１の端部は、接触薄板２３を備えた受部１２の外側とぴったりと並んでいる。差込部１１は、図１１ａによる確実な接続と反対の側へと接触薄板２３から遠ざかるように位置変化されている。この例示の実施形態では、接触薄板２３の内側は、差込部１１の薄板４０から約１ｍｍだけ離間されている。第１の能動的固定要素２１の第２の端部４９は、接触薄板２３から遠ざかる方を向いた受部１２の側面とぴったりと並んでいる。この状態で、固定連結具１３、２５は、まだ完全には成立していないか、または、受部１２から離れる方への差込部１１の横方向への押圧が可能なように単に再び分割されているところである。
【００５８】
本発明は、図１〜図１１に基づいて以下に詳細に説明される。
【００５９】
差込固定具１０が、例えば、動物用つなぎ紐のためとされている場合、紐４３の第１の端部は、締結要素３４と共に差込部１１に締結される。動物用の轡または首輪が、ここでは詳細に示さないが、小穴１５によって受部１２に締結される。
【００６０】
差込部１１の受部１２への解除可能な連結を成立させるために、差込部１１は、小穴１５から遠ざかる方を向いた側の受部１２の領域に、受部１２の長手方向配置に対して横方向に、または、横断するように、挿入されるかまたは押し込まれる。このため、薄板４０と第１の能動的固定要素２１の第１の端部４８とを備えた差込部１１の側部は、接触薄板２３から遠ざかる方を向いた受部１２の側部から、接触薄板２３を備えた側部の方向へと移動される。この場合、第１の固定要素１７、２７は、傾斜部４１、５１のため自動的に外側へと押され、その結果、第１の固定要素１７、２７は第２の固定要素１８、２８を越えて滑動していく。固定位置において、第１の固定要素１７、２７はそれぞれの追加の窪み４２に受け入れられ、また、第２の固定要素１８、２８はそれぞれの窪み２０に受け入れられ、その結果、固定連結具１３、２５が成立する。第１の固定要素１７、２７の固定位置での固定、または、固定連結具１３、２５の成立は、使用者にとって知覚可能となっている。したがって、使用者は、能動的固定連結具１４および／または固定連結具１３、２５が正しく成立したことに対応するフィードバックを得る。フィードバックは、聞き取り可能に固定すること、および／または、感覚によって検出可能に位置決めすることによって具現化させることができる。感覚によって検出可能なフィードバックは、側部を越えて突出する隆起部４５および／または凹部３７によっても得られる。
【００６１】
さらに、固定された位置では、第１の能動的固定要素２１が第２の能動的固定要素２２を通して埋め込まれ、その結果、能動的固定連結具１４が同時に成立する。固定連結具１３、２５のため、能動的固定連結具１４の意図しない分離が防止されている。このため、固定連結具１３、２５は、受部１２または差込固定具１０の長手方向配置に対して横断するような、および、第２の能動的固定要素２２の長手方向への、差込部１１の意図しない横方向の位置変化または移動を防止するように設計されている。
【００６２】
差込固定具１０の長手方向において、または、差込部１１から受部１２の方向に、および／もしくは、受部１２から差込部１１の方向に向けられた張力の方向において、少なくとも１つの成分を有する張力のため、差込固定具１０に荷重がある場合、紐４３に作用する張力は、差込固定具１０のほぼ中間に配置された締結要素３４によって受け止められる。この場合、能動的固定連結具１４は、第１の能動的固定要素２１の切欠部３１と第２の能動的固定要素２２の突起部３２とによる自立心出しのため、および／または、突起部３２の後方に延びている切欠部３１のおかげによる自立緊締手段のため、さらに固定される。
【００６３】
差込固定具１０の連結の解除については、先ず、作動機構３３が手動で作動される。このため、作動要素１６、２６は、差込部１１を、受部１２の長手方向配置に対して横方向に、または、横断するように、接触薄板２３から離れる方向で移動させることができるように、同時に内向きに押し付けられる。この場合、第１の固定要素１７、２７は、それらが第２の固定要素１８、２８の下で滑動するように、内向きにずらされている。作動機構３３の作動、または、作動要素１６、２６を一緒に押し付けることは、第１の手によって行われる。別の方の手によって、隆起部４５および凹部３７が感覚によって検出可能である。能動的固定連結具１４を解除するために、使用者は、結果的に、隆起部４５を受部１２内へと横方向に押し入れ、凹部３７を受部１２から横方向に押し出すように直感的に導かれる。その結果、最初に、固定連結具１３、２５が解除される図１１ｂにおける状態に達し、差込部１１を受部１２から押し出すことが可能となる。能動的固定連結具１４から離間されて分離された固定連結具１３、２５のため、このように両手の操作が差込部１１の連結を受部１２から分離するために必要となり、その結果、意図しない分離の危険性が大幅に低減される。ここで、操作は実施するのに簡単であるように設計されている。
【符号の説明】
【００６４】
１０  差込固定具
１１  差込部
１２  受部
１３  固定連結具
１４  能動的固定連結具
１５  小穴
１６  作動要素
１７  第１の固定要素
１８  第２の固定要素
１９  薄板
２０  窪み
２１  第１の能動的固定要素
２２  第２の能動的固定要素
２３  接触薄板
２４  接触面
２５  固定連結具
２６  作動要素
２７  第１の固定要素
２８  第２の固定要素
２９  拡張部
３０  開口部
３１  切欠部
３２  突起部
３３  作動機構
３４  締結要素
３５  線状要素の端部
３６  環状部
３７  凹部
３８  回転連結部
３９  縁
４０  薄板
４１  傾斜部
４２  追加の窪み
４３  第１の線状要素
４４  第２の線状要素
４５  隆起部
４６  第１の前部
４７  第２の前部
４８  第１の端部
４９  第２の端部
５０  締結取付部
５１  傾斜部
５２  隙間
【図１】
2014136161.tif 000003
【図２】
2014136161.tif 000004
【図３】
2014136161.tif 000005
【図４】
2014136161.tif 000006
【図５】
2014136161.tif 000007
【図６】
2014136161.tif 000008
【図７】
2014136161.tif 000009
【図８】
2014136161.tif 000010
【図９】
2014136161.tif 000011
【図１０】
2014136161.tif 000012
【図１１ａ】
2014136161.tif 000013
【図１１ｂ】
2014136161.tif 000014
【外国語明細書】
2014136161000001.pdf